【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
被検眼を撮影するための眼科撮影装置であって、
第１の撮影方式を用いて被検眼を撮影することによって前記被検眼の第１画像を取得するための第１撮影光学系と、
前記第１画像のライブ画像である第１ライブ画像を形成するための第１ライブ画像信号を、ホストコンピュータに送信するための第１の回線と、前記第１の回線とは別の回線であって前記眼科撮影装置からの信号を前記ホストコンピュータに送信するための第２の回線と、前記ホストコンピュータからの指令信号を受信するための第３の回線と、を少なくとも備え、前記眼科撮影装置と、前記第１撮影光学系によって取得された前記第１画像を受け付けるホストコンピュータと、を接続するデータ通信手段と、
前記データ通信手段を介して前記ホストコンピュータに送信するデータを制御するデータ制御手段と、を備え、
前記データ制御手段は、
前記第１の回線を介して前記第１ライブ画像信号を前記ホストコンピュータへ送信する第１の送信制御に並行して、
前記第１画像のキャプチャー画像である第１キャプチャー画像を形成するための第１キャプチャー画像信号であって、第１キャプチャー画像信号を、前記第２の回線を介して前記ホストコンピュータへ送信する第２の送信制御を行うことを特徴とする眼科撮影装置。
【請求項２】
請求項１の眼科撮影装置は、さらに、
前記第１の撮影方式とは異なる第２の撮影方式を用いて被検眼を撮影することによって前記被検眼の第２画像を取得するための第２撮影光学系と、を備え、
前記データ通信手段は、さらに、前記第２の画像を形成するための第２の画像信号を、ホストコンピュータに送信するための第４の回線を備え、
前記データ制御手段は、
前記第１の送信制御に並行して前記第２の送信制御を行うと共に、
前記第１の送信制御に並行して、前記第２画像のキャプチャー画像である第２キャプチャー画像を形成するための第２キャプチャー画像信号であって、前記第３の回線を介しての撮影指令信号をトリガして取得される第２キャプチャー画像信号を、前記第４の回線を介して前記ホストコンピュータへ送信する第３の送信制御を行うことを特徴とする眼科撮影装置。
【請求項３】
前記第２の回線は、前記ホストコンピュータに対する応答信号を前記ホストコンピュータに送信するための回線であることを特徴とする請求項１または２の眼科撮影装置。
【請求項４】
被検眼を撮影するための眼科撮影装置に用いられる眼科撮影プログラムであって、
前記眼科撮影装置のプロセッサによって実行されることで、
第１の撮影方式を用いて被検眼を撮影することによって前記被検眼の第１画像を取得するための第１撮影ステップと、
前記第１画像のライブ画像である第１ライブ画像を形成するための第１ライブ画像信号を、ホストコンピュータに送信するための第１の回線と、前記第１の回線とは別の回線であって前記眼科撮影装置からの信号を前記ホストコンピュータに送信するための第２の回線と、前記ホストコンピュータからの指令信号を受信するための第３の回線と、を少なくとも用いて、前記眼科撮影装置と、前記第１撮影光学系によって取得された前記第１画像を受け付けるホストコンピュータと、を接続するデータ通信ステップと、
前記データ通信ステップにおいて、前記ホストコンピュータに送信するデータを制御するデータ制御ステップであって、
前記第１の回線を介して前記第１ライブ画像信号を前記ホストコンピュータへ送信する第１の送信ステップに並行して、
前記第１画像のキャプチャー画像である第１キャプチャー画像を形成するための第１キャプチャー画像信号であって、前記第３の回線を介しての撮影指令信号をトリガとして取得される第１キャプチャー画像信号を、前記第２の回線を介して前記ホストコンピュータへ送信する第２の送信ステップと、
を前記眼科撮影装置に実行させることを特徴とする眼科撮影プログラム。
【手続補正２】
【補正対象書類名】明細書
【補正対象項目名】発明の名称
【補正方法】変更
【補正の内容】
【発明の名称】眼科撮影装置、および眼科撮影プログラム
【手続補正３】
【補正対象書類名】明細書
【補正対象項目名】０００１
【補正方法】変更
【補正の内容】
【０００１】
本開示は、被検眼を撮影するための眼科撮影装置、および眼科撮影プログラムに関する。
【手続補正４】
【補正対象書類名】明細書
【補正対象項目名】０００５
【補正方法】変更
【補正の内容】
【０００５】
本開示は、上記問題点を鑑み、従来技術の少なくとも一つを解決可能な眼科撮影装置、および眼科撮影プログラムを提供することを技術課題とする。
【手続補正５】
【補正対象書類名】明細書
【補正対象項目名】００８８
【補正方法】変更
【補正の内容】
【００８８】
前述のカラー眼底撮影も同様である。カラー眼底撮影された結果は、ＨＣ９０に入力されるだけでなく、プレビュー結果等の画像情報を、ＵＳＢ２．０ポート７８ｂ，７８ａ、ＨＵＢ７１を経由して装置本体に転送し、眼科撮影装置１の表示部７５上にカラー眼底画像を表示してもよい。
＜通信手段について＞
次いで、図５を用いて眼科撮影装置１とＨＣ９０との通信手段について説明する。本実施例の制御部７０とＨＣ９０は、例えば、通信手段として汎用インターフェース規格であるＵＳＢ信号線７６によって接続される。例えば、図５に示すように、ＵＳＢ信号線７６は、複数のエンドポイントＥＰで構成されている。図５の例では、例えば、第０エンドポイントＥＰ０から第４エンドポイントＥＰ４までの５つのエンドポイントＥＰが設けられる。眼科撮影装置１とＨＣ９０との間では、これらの複数のエンドポイントＥＰにてデータのやり取りを行う。なお、眼科撮影装置１とＨＣ９０にはそれぞれドライバＤが備わり、各エンドポイントＥＰにはドライバＤによって役割が定められる。５つのエンドポイントＥＰの内、一つは、デフォルトパイプＤＰという通信の理論接続が用意される。本実施例では、第０エンドポイントＥＰ０がデフォルトパイプＤＰになっている。他の４つのエンドポイントはＵＳＢペリフェラル（周辺機器）として使用可能であり、眼科撮影装置１とＨＣ９０のアプリケーションＡＰ間でのデータのやり取りに用いられる。ＵＳＢペリフェラルとして使用可能な４つのエンドポイントＥＰ１〜ＥＰ４の内、一つは、例えば、ＨＣ９０から眼科撮影装置１に制御信号（例えば、コマンド／アテンション）を送る役割を与えられ、本実施例では、エンドポイントＥＰ１が用いられる。一つは、ＨＣ９０から眼科撮影装置１にイメージデータ（例えば、断層画像８３）を送る役割を与えられ、本実施例では、エンドポイントＥＰ２が用いられる。一つは、眼科撮影装置１からＨＣ９０に制御信号（レスポンス／アテンション）を送る役割を与えられ、本実施例では、エンドポイントＥＰ３が用いられる。一つは、眼科撮影装置１からＨＣ９０にイメージデータ（前眼部観察画像、眼底観察画像、ライブ画像）を送る役割を与えられ、本実施例では、エンドポイントＥＰ４が用いられる。
【手続補正６】
【補正対象書類名】明細書
【補正対象項目名】０１３６
【補正方法】変更
【補正の内容】
【０１３６】
図３に戻る。制御部７０は、表示部７５上に、前眼部観察光学系６０によって取得された前眼部観察画像８１、ＦＣ正面画像８２、断層画像８３、走査ラインＳＬを表示する。走査ラインＳＬは、ＦＣ正面画像８２上における断層画像の測定位置（取得位置）を表す指標である。走査ラインＳＬは、表示部７５上のＯＣＴ正面画像８４上に電気的に表示される。
【手続補正７】
【補正対象書類名】明細書
【補正対象項目名】０１３８
【補正方法】変更
【補正の内容】
【０１３８】
＜スキャンラインの設定＞
断層画像及びＯＣＴ正面画像８４が表示部７５に表示されたら、検者は、リアルタイムで観察される表示部７５上のＯＣＴ正面画像８４から検者の撮影したい断層画像の位置を設定する。ここで、検者は、ＯＣＴ正面画像８４に対して走査ラインＳＬを移動させていき、走査位置を設定する（例えば、走査ラインＳＬのドラッグ操作、設定表示３２０の操作）。なお、ラインがＸ方向となるように設定すれば、ＸＺ面の断層画像の撮影が行われ、走査ラインＳＬがＹ方向となるように設定すれば、ＹＺ面の断層画像の撮影が行われるようになっている。また、走査ラインＳＬを任意の形状（例えば、斜め方向や丸等）に設定できるようにしてもよい。
【手続補正８】
【補正対象書類名】明細書
【補正対象項目名】０１４０
【補正方法】変更
【補正の内容】
【０１４０】
検者によって走査ラインＳＬがＯＣＴ正面画像８４に対して移動されると、制御部７０は、随時走査位置の設定を行い、これに対応する走査位置の断層画像を取得する。そして、取得された断層画像を随時表示部７５の表示画面上に表示する。また、制御部７０は、表示部７５から出力される操作信号に基づいて測定光の走査位置を変更すると共に、変更された走査位置に対応する表示位置に走査ラインＳＬを表示する。なお、走査ラインＳＬの表示位置（表示部上における座標位置）と走査部１０８による測定光の走査位置との関係は、予め定まっているので、制御部７０は、設定した走査ラインＳＬの表示位置に対応する走査範囲に対して測定光が走査されるように、走査部１０８の２つのガルバノミラーを適宜駆動制御する。